(57)【要約】【課題】外部の音声処理装置が接続されていないときは、コアキシャル端子からのデジタル音声信号を停止させることの可能なテレビジョンの提供を目的とする。【解決手段】ＤＴＶ復調回路１５はデジタル放送の放送電波に基づくデジタル音声信号を第一のエミッタフォロワ回路を介してコアキシャル端子ＣＮＴに対して出力し、ＤＶＤ復調回路３５はＤＶＤより読み取ったデジタルデータに基づくデジタル音声信号を第二のエミッタフォロワ回路を介してコアキシャル端子ＣＮＴに対して出力する。そして、ＤＴＶマイコン２５またはＤＶＤマイコン６０はコアキシャル端子ＣＮＴと整合用抵抗Ｒ９との間における電圧信号の振幅を表す情報を取得し、同情報に基づいてコアキシャル端子ＣＮＴに信号処理装置７０が接続されているか否かを判断する。【選択図】図２
2007243449.tif 000002
【特許請求の範囲】
【請求項１】
受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、
デジタル音声信号の信号処理装置が接続されるコアキシャル端子と、
上記コアキシャル端子の出力インピーダンスを設定する整合用抵抗と、
上記整合用抵抗と上記コアキシャル端子の間に接続されて、直流成分を除去する結合コンデンサと、
上記デジタル放送の放送電波に基づくデジタル音声信号を出力するＤＴＶ音声信号出力部と、
上記ＤＶＤより読み取ったデジタルの映像データに基づくデジタル音声信号を出力するＤＶＤ音声信号出力部と、
ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成される第一のエミッタフォロワ回路と、
ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される第二のエミッタフォロワ回路と、
上記結合コンデンサと上記コアキシャル端子の間に接続される端子を備え、上記ＤＴＶ音声信号出力部を制御するＤＴＶマイコンと、
上記結合コンデンサと上記コアキシャル端子の間に接続される端子を備え、上記ＤＶＤ音声信号出力部を制御するＤＶＤマイコンと、
上記画面にＯＳＤ表示するためのＯＳＤ信号を生成して上記画面に表示させる映像信号処理回路と、
ユーザからの操作入力を受け付ける操作入力手段と、
を備え、
上記ＤＴＶマイコンは、
上記結合コンデンサからコアキシャル端子までの信号経路における電圧信号の振幅を表す情報を間欠的に取得し、
上記電圧信号の振幅を表す情報が、所定時間、所定レベル以下であるとき上記コアキシャル端子に上記信号処理装置が接続されていないと判断して上記ＤＴＶ音声信号出力部からのデジタル音声信号の出力を停止させ、その旨を上記画面に表示させるとともに、上記電圧信号の検出を継続させるか否かを選択可能とし、
上記コアキシャル端子に上記信号処理装置が接続されていないと判断したとき以外は、上記ＤＴＶ音声信号出力部からデジタル音声信号を出力させ、
上記操作入力手段より所定の操作入力を受け付けると、上記コアキシャル端子に上記信号処理装置が接続されているか否かを再判断し、
上記ＤＶＤマイコンは、
上記結合コンデンサからコアキシャル端子までの信号経路における電圧信号の振幅を表す情報を間欠的に取得し、
上記電圧信号の振幅を表す情報が、所定時間、所定レベル以下であるとき上記コアキシャル端子に上記信号処理装置が接続されていないと判断して上記ＤＶＤ音声信号出力部からのデジタル音声信号の出力を停止させ、その旨を上記画面に表示させるとともに、上記電圧信号の検出を継続させるか否かを選択可能とし、
上記コアキシャル端子に上記信号処理装置が接続されていないと判断したとき以外は、上記ＤＶＤ音声信号出力部からデジタル音声信号を出力させ、
上記操作入力手段より所定の操作入力を受け付けると、上記コアキシャル端子に上記信号処理装置が接続されているか否かを再判断する
ことを特徴とするテレビジョン。
【請求項２】
受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、
デジタル音声信号の信号処理装置が接続されるコアキシャル端子と、
上記コアキシャル端子の出力インピーダンスを設定する整合用抵抗と、
上記デジタル放送の放送電波に基づくデジタル音声信号を第一のエミッタフォロワ回路を介して上記コアキシャル端子に対して出力するＤＴＶ音声信号出力部と、
上記ＤＶＤより読み取ったデジタルデータに基づくデジタル音声信号を第二のエミッタフォロワ回路を介して上記コアキシャル端子に対して出力するＤＶＤ音声信号出力部と、
上記整合用抵抗からコアキシャル端子までの信号経路における電圧信号の振幅を表す情報を取得する電圧検出手段と、
上記電圧信号の振幅に基づき上記コアキシャル端子に上記信号処理装置が接続されているか否かを判断する接続判断手段と、
を備え、
上記接続判断手段は、
コアキシャル端子に上記信号処理装置が接続されていないと判断したときには、上記ＤＴＶ音声信号出力部と上記ＤＶＤ音声信号出力部からのデジタル音声信号の出力を停止させ、
コアキシャル端子に上記信号処理装置が接続されていると判断したときには、上記ＤＴＶ音声信号出力部と上記ＤＶＤ音声信号出力部からデジタル音声信号を出力させる
ことを特徴とするテレビジョン。
【請求項３】
上記電圧検出手段は、
上記電圧信号の振幅を間欠的に取得する
ことを特徴とする上記請求項２に記載のテレビジョン。
【請求項４】
上記接続判断手段は、
上記電圧検出手段が取得した電圧信号の振幅を表す情報が、所定時間、所定レベル以下であるとき上記信号処理装置が接続されていないと判断する
ことを特徴とする上記請求項２または上記請求項３に記載のテレビジョン。
【請求項５】
上記接続判断手段は、
所定の操作入力を操作入力手段より受け付けると、コアキシャル端子に上記信号処理装置が接続されているか否かを再判断する
ことを特徴とする上記請求項２〜請求項４のいずれかに記載のテレビジョン。
【請求項６】
上記接続判断手段は、
上記信号処理装置が接続されていないと判断すると、その旨を上記画面に表示させるとともに、上記電圧検出手段による電圧信号の検出を継続させるか否かを選択可能とする
ことを特徴とする上記請求項２〜請求項５のいずれかに記載のテレビジョン。
【請求項７】
上記第一のエミッタフォロワ回路は、
ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成され、
上記第二のエミッタフォロワ回路は、
ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される
ことを特徴とする上記請求項２〜請求項６のいずれかに記載のテレビジョン。
【請求項８】
上記整合用抵抗は、
直流成分を除去するための結合コンデンサを介して上記コアキシャル端子に接続されている
ことを特徴とする上記請求項２〜７のいずれかに記載のテレビジョン。
【発明の詳細な説明】
【技術分野】
【０００１】
本発明は、テレビジョンに関し、特にデジタル音声信号を出力するコアキシャル端子を備えるテレビジョンに関する。
【背景技術】
【０００２】
従来、テレビ映像やＤＶＤの映像データを画面に表示している間は、ＡＶアンプなどの信号処理装置がコアキシャル端子に接続されているか否かに関わらず、デジタル音声信号を常時出力していた。
特許文献１には、ヘッドホンアンプに電力を供給する電源回路とスピーカのアンプに電力を供給する電源回路とを独立に設け、出力端子にヘッドホンが接続されたときのみヘッドホンアンプの電源回路をオンする音声出力装置について開示されている。
特許文献２には、コネクタを介して直流電圧をかけ、電流が流れるか否かにより外部アンプの有無を判断する外部アンプ検出回路を備える音響装置について開示されている。
【特許文献１】特開平０５−２７５９３８号
【特許文献２】特開２００４−１２０４１３号
【発明の開示】
【発明が解決しようとする課題】
【０００３】
特許文献１，２に記載の技術はアナルグ音声信号を入出力するコネクタに関するものであって、デジタル音声信号の場合、直流成分をカットする結合コンデンサが挿入されるため、直流電流のが流れるか否かでは外部アンプの有無を判断出来ない。
本発明は、上記課題にかんがみてなされたもので、外部の音声処理装置が接続されていないときは、コアキシャル端子からのデジタル音声信号を停止させることの可能なテレビジョンの提供を目的とする。
【課題を解決するための手段】
【０００４】
上記課題を解決するために、本発明の請求項１にかかる発明では、受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、デジタル音声信号の信号処理装置が接続されるコアキシャル端子と、上記コアキシャル端子の出力インピーダンスを設定する整合用抵抗と、上記整合用抵抗と上記コアキシャル端子の間に接続されて、直流成分を除去する結合コンデンサと、上記デジタル放送の放送電波に基づくデジタル音声信号を出力するＤＴＶ音声信号出力部と、上記ＤＶＤより読み取ったデジタルデータに基づくデジタル音声信号を出力するＤＶＤ音声信号出力部と、ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成される第一のエミッタフォロワ回路と、ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される第二のエミッタフォロワ回路と、上記結合コンデンサと上記コアキシャル端子の間に接続される端子を備え、上記ＤＴＶ音声信号出力部を制御するＤＴＶマイコンと、上記結合コンデンサと上記コアキシャル端子の間に接続される端子を備え、上記ＤＶＤ音声信号出力部を制御するＤＶＤマイコンと、上記画面にＯＳＤ表示するためのＯＳＤ信号を生成して上記画面に表示させるＯＳＤ回路と、ユーザからの操作入力を受け付ける操作入力手段と、を備え、上記ＤＴＶマイコンは、上記結合コンデンサからコアキシャル端子までの信号経路における電圧信号の振幅を表す情報を間欠的に取得し、上記電圧信号の振幅を表す情報が、所定時間、所定レベル以下であるとき上記コアキシャル端子に上記信号処理装置が接続されていないと判断して上記ＤＴＶ音声信号出力部からのデジタル音声信号の出力を停止させ、その旨を上記画面に表示させるとともに、上記電圧信号の検出を継続させるか否かを選択可能とし、上記コアキシャル端子に上記信号処理装置が接続されていないと判断したとき以外は、上記ＤＴＶ音声信号出力部からデジタル音声信号を出力させ、上記操作入力手段より所定の操作入力を受け付けると、上記コアキシャル端子に上記信号処理装置が接続されているか否かを再判断し、上記ＤＶＤマイコンは、上記結合コンデンサからコアキシャル端子までの信号経路における電圧信号の振幅を表す情報を間欠的に取得し、上記電圧信号の振幅を表す情報が、所定時間、所定レベル以下であるとき上記コアキシャル端子に上記信号処理装置が接続されていないと判断して上記ＤＶＤ音声信号出力部からのデジタル音声信号の出力を停止させ、その旨を上記画面に表示させるとともに、上記電圧信号の検出を継続させるか否かを選択可能とし、上記コアキシャル端子に上記信号処理装置が接続されていないと判断したとき以外は、上記ＤＶＤ音声信号出力部からデジタル音声信号を出力させ、上記操作入力手段より所定の操作入力を受け付けると、上記コアキシャル端子に上記信号処理装置が接続されているか否かを再判断する構成としてある。
【０００５】
また、上記目的を達成するために、請求項２に記載のテレビジョンでは、受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、デジタル音声信号の信号処理装置が接続されるコアキシャル端子と、上記コアキシャル端子の出力インピーダンスを設定する整合用抵抗と、上記デジタル放送の放送電波に基づくデジタル音声信号を第一のエミッタフォロワ回路を介して上記コアキシャル端子に対して出力するＤＴＶ音声信号出力部と、上記ＤＶＤより読み取ったデジタルデータに基づくデジタル音声信号を第二のエミッタフォロワ回路を介して上記コアキシャル端子に対して出力するＤＶＤ音声信号出力部と、上記整合用抵抗からコアキシャル端子までの信号経路における電圧信号の振幅を表す情報を取得する電圧検出手段と、上記電圧信号の振幅に基づき上記コアキシャル端子に上記信号処理装置が接続されているか否かを判断する接続判断手段と、を備え、上記接続判断手段は、コアキシャル端子に上記信号処理装置が接続されていないと判断したときには、上記ＤＴＶ音声信号出力部と上記ＤＶＤ音声信号出力部からのデジタル音声信号の出力を停止させ、コアキシャル端子に上記信号処理装置が接続されていると判断したときには、上記ＤＴＶ音声信号出力部と上記ＤＶＤ音声信号出力部からデジタル音声信号を出力させる構成としてある。
上記のように構成した請求項２にかかる発明において、上記ＤＴＶ音声信号出力部は上記デジタル放送の放送電波に基づくデジタル音声信号を第一のエミッタフォロワ回路を介して上記コアキシャル端子に対して出力し、上記ＤＶＤ音声信号出力部は上記ＤＶＤより読み取ったデジタルデータに基づくデジタル音声信号を第二のエミッタフォロワ回路を介して上記コアキシャル端子に対して出力する。そして、上記ＤＴＶ音声信号出力部から出力されたデジタル音声信号は、上記第一のエミッタフォロワ回路から上記整合用抵抗を経由して上記コアキシャル端子に供給される。一方、上記ＤＶＤ音声信号出力部から出力されたデジタル音声信号は上記第二のエミッタフォロワ回路から上記整合用抵抗を経由して上記コアキシャル端子に供給される。そして、上記電圧検出手段は上記コアキシャル端子と上記整合用抵抗との間における電圧信号の振幅を表す情報を取得し、上記接続判断手段は上記電圧検出手段の検出結果に基づいて上記コアキシャル端子に上記信号処理装置が接続されているか否かを判断する。
【０００６】
すなわち、上記コアキシャル端子と上記整合用抵抗の間における電圧信号の振幅は、上記コアキシャル端子に上記信号処理装置が接続されているときに比べて上記コアキシャル端子に上記信号処理装置が接続されていないときに半分となる。
【０００７】
また、上記ＤＴＶ音声信号出力部としては、地上デジタル放送や衛星放送などのデジタル放送の放送信号よりデジタルにて音声信号を取得してデジタル出力可能であればよい。また、上記ＤＶＤ音声信号出力部としては、ＤＶＤなどの光ディスクに記録されているデジタルデータよりデジタルにて音声信号を取得してデジタル出力可能であればよい。
【０００８】
さらに、上記電圧検出手段としては、上記コアキシャル端子と上記整合用抵抗との間における電圧信号の振幅を表す情報を取得して出力可能であればよく、同電圧信号の最大値と最小値との差分を表す情報を取得できればいかなるものであっても構わない。また、上記接続判断手段としては、上記電圧検出手段より出力される電圧信号の振幅を表す情報が所定の閾値を超えたか否かを判断することが出来ればよく、閾値を超えたか否かで上記ＤＴＶ音声信号出力部または上記ＤＶＤ音声信号出力部からのデジタル音声信号の出力のオン／オフを切り替えることができればよい。
【０００９】
そして、請求項３にかかる発明では、上記請求項２に記載のテレビジョンにおいて、上記電圧検出手段は、上記電圧信号の振幅を間欠的に取得する構成としてある。間欠的とは一定の時間間隔で行うことである。
【００１０】
さらに、請求項４にかかる発明では、上記請求項２または上記請求項３に記載のテレビジョンにおいて、上記接続判断手段は、上記電圧検出手段が取得した電圧信号の振幅を表す情報が、所定時間、所定レベル以下であるとき上記信号処理装置が接続されていないと判断する構成としてある。
上記のように構成した請求項４にかかる発明において、上記所定時間としては、数秒でも数分であってもよく、特に請求項３に記載のテレビジョンにおいては上記所定時間を上記電圧信号の振幅を取得した回数にて判断することも可能である。また、上記所定レベルとは上記閾値のことである。
【００１１】
さらに、請求項５にかかる発明は、上記請求項２〜請求項４のいずれかに記載のテレビジョンにおいて、上記接続判断手段は、所定の操作入力を操作入力手段より受け付けると、コアキシャル端子に上記信号処理装置が接続されているか否かを再判断する構成としてある。
上記のように構成した請求項５にかかる発明では、一旦、上記信号処理装置が接続されていないと判断されて上記デジタル音声信号の出力が停止されても、ユーザからの所定の操作入力を受け付けると再び上記信号処理装置が接続されているか否かを判断しなおす。すなわち、ユーザが上記信号処理装置を接続した際に、デジタル音声信号の出力が停止されていても、ユーザが操作入力手段にて操作入力を行えば、上記信号処理装置の接続を再判断させることが可能となる。所定の操作入力としては、ミュートキーでもよいし、コアキシャル端子の接続を確認させる為の専用のキーを設けても構わない。
【００１２】
さらに、請求項６にかかる発明は、上記請求項２〜請求項５のいずれかに記載のテレビジョンにおいて、上記接続判断手段は、上記信号処理装置が接続されていないと判断すると、その旨を上記画面に表示させるとともに、上記電圧検出手段による電圧信号の検出を継続させるか否かを選択可能とする構成としてある。
上記のように構成した請求項６にかかる発明においては、上記接続判断手段にて上記信号処理装置が接続されていないと判断されると画面にその旨を表示してユーザに知らせるとともに、上記電圧検出手段に電圧信号の検出を継続させるか否かをユーザに選択可能とする。
【００１３】
さらに、請求項７にかかる発明は、上記請求項２〜請求項６のいずれかに記載のテレビジョンのより具体的な構成の一例として、上記第一のエミッタフォロワ回路は、ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成され、上記第二のエミッタフォロワ回路は、ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される、としてある。
【００１４】
さらに、請求項８にかかる発明は、上記請求項２〜７のいずれかに記載のテレビジョンにおいて、上記整合用抵抗は、直流成分を除去するための結合コンデンサを介して上記コアキシャル端子に接続されている構成としてある。
【発明の効果】
【００１５】
以上説明したように本発明によれば、外部アンプの接続の有無を判断して、接続されていないときはデジタル音声信号の出力を停止させることにより余計な電流を抑えて電力消費が抑えるとともに不要輻射をなくすことの可能なテレビジョンを提供することが出来る。
また請求項３にかかる発明によれば、より電力消費を抑えることの可能なテレビジョンを提供することが出来る。
そして請求項４にかかる発明によれば、より電力消費を抑えることの可能なテレビジョンを提供することが出来る。
さらに請求項５にかかる発明によれば、ユーザの利便性が向上する。
また請求項６にかかる発明によれば、ユーザの利便性が向上する。
そして請求項７にかかる発明によれば、外部アンプの接続の有無を判断して、接続されていないときはデジタル音声信号の出力を停止させることにより余計な電流を抑えて電力消費が抑えるとともに不要輻射をなくすことの可能なテレビジョンを提供することが出来る。
また、請求項８にかかる発明によれば、デジタル音声信号のノイズを減少させることにより、外部アンプの接続判断をより正確に行うことが出来る。
さらに請求項１のような、より具体的な構成において、上述した請求項２〜請求項８の各発明と同様の効果を奏することはいうまでもない。
【発明を実施するための最良の形態】
【００１６】
以下、下記の順序に従って本発明の実施形態を説明する。
（１）テレビジョンの概略構成：
（２）外部機器との接続検出について：
（３）まとめ：
【００１７】
（１）テレビジョンの概略構成： 
図１は、本発明にかかるコアキシャル端子を有するテレビジョンの一実施形態の概略構成を示すブロック図である。同図において、テレビジョン１００は、概略、  チューナ１０と、ＤＴＶ復調回路１５と、ＤＶＤドライブ３０と、ＤＶＤ復調回路３５と、選択回路２０と、映像信号処理回路４０と、図示しない駆動回路と、ディスプレイ５０と、音声信号処理回路４５と、図示しないアンプと、スピーカ５５と、ＤＴＶマイコン２５と、ＤＶＤマイコン６０と、から構成される。上記構成により、テレビジョン１００は、受信したデジタル放送の放送電波に基づくテレビ映像を画面に表示するテレビ機能と、挿入されたＤＶＤに記録されているデジタルの映像データを読み取って再生可能なＤＶＤ再生機能とを実現する。
【００１８】
ＤＴＶマイコン２５およびＤＶＤマイコン６０は、図示されない入力回路を備え、図示されない前面パネルに設けられた複数のキースイッチや図示されないリモコンから送信される赤外線を受光するユニット等の操作入力手段から、ユーザからの指示が入力される。
【００１９】
また、ユーザによりＤＶＤの視聴が選択されると、ＤＶＤ再生に関わるテレビジョン１００の制御はＤＶＤマイコン６０が担当する。一方、テレビジョン１００のＤＶＤの視聴が終了すると、ＤＴＶマイコン２５がテレビジョン放送の視聴に関わるテレビジョン１００の制御を担当する。
【００２０】
チューナ１０は、ＤＴＶマイコン２５から送信された選局制御信号に基づいて、アンテナ１０ａを介して受信した各チャンネルに対応するデジタル放送信号の中間周波信号を抽出し、ＤＴＶ復調回路１５に供給する。
【００２１】
ＤＴＶ復調回路１５は、デジタルＩ／Ｆと復調部とデスクランブル部とデマルチプレックス部とＭＰＥＧデコーダとを備えている。中間周波信号が入力されるデジタルＩ／ＦはＡ／Ｄコンバータを有しており、デジタルＩ／Ｆから信号の供給を受ける復調部は、チャンネルイコライザ、エラー訂正デコード部等を有している。すなわち、デジタルＩ／Ｆと復調部とは、入力される中間周波信号をデジタル信号に変換するとともに、ＤＴＶマイコン２５からの制御情報に基づいてデジタル復調した信号に対していわゆるゴーストキャンセルを行う。さらに、デジタルＩ／Ｆと復調部は、伝送路上で発生したビット誤りを訂正し、トランスポートストリーム（ＴＳ）信号を得る。
【００２２】
ＴＳ信号は、デスクランブル部に出力される。ＴＳ信号は、通常スクランブルがかかっているため、このままでは適正に映像・音声を再生することはできない。そこで、デスクランブル部がＴＳ信号に対してデ・スクランブル処理を行うことにより、ＴＳ信号を再生可能なデータ配列に復元する。デ・スクランブル処理が行われたＴＳ信号は、映像信号や音声信号や文字情報等が多重化された形式となっており、デマルチプレックスに供給される。デマルチプレックス部では入力されたデータに対してデ・マルチプレックス処理を行う。すなわち、ここで多重化が解除される。
【００２３】
デ・マルチプレックス処理にて多重化が解除されると、映像信号および音声信号が所定の方式により圧縮されたＭＰＥＧデータが得られる。ＭＰＥＧデータはＭＰＥＧデコーダに供給され、ＭＰＥＧデコーダにて圧縮解凍処理、つまりＭＰＥＧデコード処理が行われる。このＭＰＥＧデコード処理により、デジタル映像信号とデジタル音声信号とが生成される。デジタル映像信号は、選択回路２０に対して出力される。一方、デジタル音声信号は、後述する接続検出回路を介してコアキシャル端子ＣＮＴへと出力されるとともに、選択回路２０を介して音声信号処理回路４５に出力される
以上より、チューナ１０とＤＴＶ復調回路１５とが上記デジタル放送の放送電波に基づくデジタル音声信号を出力するＤＴＶ音声信号出力部を構成する。
【００２４】
ＤＶＤドライブ３０は、ピックアップやスピンドルモータなどを備え、スピンドルモータにより回転駆動されるＤＶＤ（光ディスク）に記録されたデータを読み取り、読み取ったデータを示す信号をＤＶＤ復調回路３５に出力する。ＤＶＤ復調回路３５は、ピックアップより送出される信号から、デジタル映像信号とデジタル音声信号とを生成する。デジタル映像信号は選択回路２０に対して出力され、デジタル音声信号は後述する接続検出回路を介してコアキシャル端子ＣＮＴへ出力されるとともに、選択回路２０を介して音声信号処理回路４５に出力される。
以上より、ＤＶＤドライブ３０と上記ＤＶＤ復調回路３５とが、上記ＤＶＤより読み取ったデジタルデータに基づくデジタル音声信号を出力するＤＶＤ音声信号出力部を構成する。
【００２５】
なお、ＤＴＶ復調回路１５とＤＶＤ復調回路３５とは、それぞれＤＴＶマイコン２５とＤＶＤマイコン６０からの指示に従い、コアキシャル端子ＣＮＴにデジタル音声信号を送出する状態と、送出しない状態とに切り換わる。
【００２６】
コアキシャル端子ＣＮＴには、ＲＣＡ端子などによって信号処理装置７０が接続可能となっている。信号処理装置７０としては、デジタルの音声信号が入力されて同音声信号に基づくアナログ音声出力が可能であればよく、音声信号を増幅したりスピーカが一体的に構成されていても構わない。
【００２７】
選択回路２０は、ＤＴＶマイコン２５の指示を受けて、入力されたデジタル映像信号とデジタル音声信号のうちいずれか一組を選択して出力する回路である。つまり、ＤＴＶマイコン２５は、ユーザのリモコン送信機等の操作によりテレビジョン放送を表示させるかＤＶＤを再生させるかを認識可能であるため、テレビジョン放送を表示させる場合には、選択回路２０にＤＴＶ復調回路１５からの出力を選択させ、ＤＶＤの再生を行う場合には、選択回路２０にＤＶＤ復調回路からの出力を選択させるとともにＤＶＤ再生中はテレビジョン１００の制御をＤＶＤマイコン６０に行わせる。
【００２８】
この結果、映像信号処理回路４０には、ＤＴＶ復調回路１５とＤＶＤ復調回路３５のうち、いずれか一方のデジタル映像信号が入力される。
【００２９】
映像信号処理回路４０では、デジタル映像信号が入力されると、この映像信号に対して所定の信号処理をした上で、不図示の駆動回路を介してディスプレイ５０に出力する。ディスプレイ５０としては、ＣＲＴや液晶パネルやプラズマディスプレイパネルなど種々の映像表示装置を採用可能であるが、ここでは液晶パネルを例に説明する。
【００３０】
映像信号処理回路４０は、画素数変換回路と、画質調整回路と、出力処理回路とを有している。画素数変換回路はデジタル映像信号を入力し、この映像信号に対してスケーリング処理を行いつつ、液晶パネルに表示される１画面分のＲＧＢ信号を生成する。画質調整回路は、画素数変換回路によってスケーリング処理が施されたＲＧＢ信号に対して、ブライトネス、コントラスト、黒バランスおよび白バランス、シャープネス等の各種調整を行う。出力処理回路は、画質調整が施されたＲＧＢ信号に対して、ガンマ補正、ディザ処理等を行うとともに、背景信号、画面にＯＳＤ表示させる為のＯＳＤ信号、ブランキング信号等を付加して駆動回路に出力し、液晶パネルに画像を表示させる。
【００３１】
また、音声信号処理回路４５にもＤＴＶ復調回路１５とＤＶＤ復調回路３５のうち、いずれか一方のデジタル音声信号が入力される。音声信号処理回路４５では、デジタル音声信号が入力されると所定のＤ／Ａ変換部によってアナログ音声信号に変換され、同アナログ音声信号が不図示のアンプにて増幅された後スピーカ５５に出力される。
【００３２】
（２）コアキシャル端子の接続検出回路： 
以下、図２を参照してＤＴＶ復調回路１５とコアキシャル端子ＣＮＴ、およびＤＶＤ復調回路３５とコアキシャル端子７０、の間にあわせて形成される接続検出回路８０について説明する。
ＤＴＶ復調回路１５の出力端子から送出されるデジタル音声信号は、抵抗Ｒ１を介して、トランジスタＱ１のベースに導かれている。また、トランジスタＱ１のベースには、バイアス電流を与えるため、一方の端子がプラス電源＋Ｂに接続された抵抗Ｒ２の他方の端子、および、一方の端子が接地された抵抗Ｒ３の他方の端子が接続されている。また、トランジスタＱ１のエミッタは、電流経路を形成する抵抗Ｒ４、Ｒ１０を介してそれぞれ接地されている。また、エミッタは、整合用抵抗Ｒ９に接続されている。すなわち、上記第一のトランジスタはトランジスタＱ１に相当する。
【００３３】
一方、ＤＶＤ復調回路３５の出力端子から送出されるデジタル音声信号は、抵抗Ｒ５を介して、トランジスタＱ２のベースに導かれている。また、トランジスタＱ２のベースには、バイアス電流を与えるため、一方の端子がプラス電源＋Ｂに接続された抵抗Ｒ６の他方の端子、および、一方の端子が接地された抵抗Ｒ７の他方の端子が接続されている。また、トランジスタＱ２のエミッタは、電流経路を形成する抵抗Ｒ８、Ｒ１０を介してそれぞれ接地されている。また、エミッタは、整合用抵抗Ｒ９に接続されている。すなわち、上記第二のトランジスタはトランジスタＱ２に相当する。
【００３４】
すなわち、接続検出回路８０は、トランジスタＱ１による第一のエミッタフォロワ回路およびトランジスタＱ２による第二のエミッタフォロワ回路により構成され、整合用抵抗Ｒ９の端子を、極めて低いインピーダンスでもって駆動する。
【００３５】
整合用抵抗Ｒ９の他方の端子は、直流成分を除去するための結合コンデンサＣ１を介して、ＲＣＡピンジャックにより構成されるコアキシャル端子ＣＮＴに接続されている。整合用抵抗Ｒ９は、コアキシャル端子ＣＮＴの出力インピーダンスを設定するための素子であり、その抵抗値は約７５Ωとなっている。また、コアキシャル端子ＣＮＴには、例えば、５．１チャンネルのサラウンド信号を復元する装置等の、デジタル音声信号の信号処理装置（入力インピーダンスは、抵抗Ｒ２により７５Ωとなっている）７０が接続されるようになっている。
【００３６】
また、コンデンサＣ１とコアキシャル端子ＣＮＴの間の信号経路Ａにおける電圧が、図示しない電圧振幅検出回路やＡ／Ｄ変換回路を介して電圧の振幅レベルがデジタル化され、ＤＴＶマイコン２５およびＤＶＤマイコン６０に入力される。
【００３７】
デジタル音声信号が出力されているとき、ＤＴＶ復調回路１５またはＤＶＤ復調回路３５からは出力レベル（電圧信号の振幅）３．３Ｖの矩形波が出力されるため、トランジスタＱ１のエミッタの信号の振幅は約１Ｖとなる。従って、信号処理装置７０が接続されたときのコアキシャル端子ＣＮＴの出力レベルは、約１Ｖとなり、信号処理装置７０が接続されたときには約０．５Ｖとなる。つまり、信号経路Ａにおける信号の振幅も、約０．５Ｖとなる。一方、コアキシャル端子ＣＮＴに信号処理装置７０が接続されない場合には、コアキシャル端子ＣＮＴの出力レベルは約１Ｖとなり、信号経路Ａの信号の振幅も約１Ｖとなる。
【００３８】
すなわち、上記電圧振幅検出回路と上記Ａ／Ｄ変換器を介してＤＴＶマイコン２５またはＤＶＤマイコン６０へ出力される振幅レベルは、コアキシャル端子ＣＮＴに信号処理装置７０が接続されている場合には約０．５Ｖを示し、コアキシャル端子ＣＮＴに信号処理装置７０が接続されていない場合には約１Ｖを示す。
【００３９】
以上より、上記電圧振幅検出回路と上記Ａ／Ｄ変換器とを介して信号経路Ａの信号の振幅を検出するＤＴＶマイコン２５、またはＤＶＤマイコン６０が、上記整合用抵抗からコアキシャル端子までの信号経路における電圧信号の振幅を表す情報を取得する電圧検出手段を構成する。
【００４０】
ＤＴＶマイコン２５およびＤＶＤマイコン６０は、信号経路Ａにおける電圧の振幅レベルを表すＡ／Ｄ変換器の出力を受け付けてデジタル音声信号をＤＴＶ復調回路１５またはＤＶＤ復調回路３５より出力させるか否かの制御を行う。つまり、信号経路Ａの振幅レベルが、所定時間、所定レベルとしての０．７Ｖより大きいことを示す場合、コアキシャル端子ＣＮＴには信号処理装置７０が接続されていないと判断し、テレビジョン放送視聴時は、ＤＴＶマイコン２５がＤＴＶ復調回路１５を制御することによってデジタル音声信号を出力する動作を停止させ、ＤＶＤ視聴時は、ＤＶＤマイコン６０が、ＤＶＤ復調回路３５を制御することによってデジタル音声信号を出力する動作を停止させる。
【００４１】
以下、図３を参照して、信号処理装置７０がコアキシャル端子ＣＮＴに接続されているか否かを判断して、デジタル音声信号の出力を制御するＤＴＶマイコン２５またはＤＶＤマイコン６０の処理を説明する。ＤＴＶマイコン２５における処理とＤＶＤマイコン６０における処理とは同一なので、以下、マイコンと略して記載する。
【００４２】
処理を開始すると、ステップＳ１０で、マイコンは所定の時間間隔で間欠的に上記Ａ／Ｄ変換器の出力を監視し、０．７Ｖ以上の振幅レベルを検出した回数をカウントし、所定回数以上検出したと判断すると条件成立としてステップＳ２０に進む。すなわち、所定時間、信号処理装置７０がコアキシャル端子ＣＮＴに接続されていないと判断するとステップＳ２０に進む。一方、検出した回数が所定回数以下である場合、つまり所定時間以下である場合は、信号処理装置７０がコアキシャル端子ＣＮＴに接続されていると判断し、条件不成立となりステップＳ１０を繰り返す。
【００４３】
ステップＳ２０では、デジタル音声信号を出力させない旨の制御信号を、ＤＴＶ復調回路１５またはＤＶＤ復調回路３５に出力する。
【００４４】
ステップＳ３０では、リモコンの所定のキーが操作入力されたか否かを判断する。所定のキーとしては、「ミュート」キーなどの音声出力に関するキーであればよく、通常のテレビジョン放送やＤＶＤの視聴においては操作されにくいキーであることが望ましい。むろんコアキシャル出力のミュート状態を解除する専用のキーを設けても構わない。所定のキーが操作入力されたときは条件成立としてステップＳ４０に進み、所定のキーが操作入力され無いときは条件不成立としてステップｓ３０を繰り返す。
【００４５】
ステップＳ４０では、ステップＳ１０と同様の判断を再判断する。つまり、マイコンは所定の時間間隔で間欠的に上記Ａ／Ｄ変換器の出力を監視し、０．７Ｖ以上の振幅レベルを検出した回数をカウントし、所定回数以上検出したと判断すると条件成立としてステップＳ５０に進む。すなわち、所定時間、信号処理装置７０がコアキシャル端子ＣＮＴに接続されていないと判断するとステップＳ５０に進む。一方、検出した回数が所定回数以下である場合、つまり所定時間以下である場合は、信号処理装置７０がコアキシャル端子ＣＮＴに接続されていると判断し、条件不成立となりステップＳ４５に進んでデジタル音声信号を出力させる旨の制御信号を、ＤＴＶ復調回路１５またはＤＶＤ復調回路３５に出力するとともにステップＳ４０からの処理を繰り返す。
【００４６】
ステップｓ５０に進むと、デジタル音声信号を出力させない旨の制御信号を、ＤＴＶ復調回路１５またはＤＶＤ復調回路３５に出力し、ステップＳ６０に進む。
ステップＳ６０では、信号処理装置７０の接続検出処理を継続させるか否かを、ユーザに選択させるメッセージを映像信号処理回路４０にＯＳＤ表示させ、ユーザに選択可能とする。具体的には「コアキシャル端子接続確認を継続しますか？」等と表示させるとともに「Ｙｅｓ」「ＮＯ」などの選択肢をカーソルとともに表示させ、ユーザからの選択入力を受け付けるなどとすればよい。そして、受け付けたユーザの選択入力が、コアキシャル端子接続確認を継続させるとの選択入力である場合は条件成立としてステップＳ３０からの処理を繰り返す。一方、コアキシャル端子接続確認を継続させないとの選択入力である場合は条件不成立とし、マイコンはＡ／Ｄ変換器の出力の監視を停止させて当該処理を終了する。このコアキシャル端子接続確認を再開させるには、メニュ画面などにコアキシャル端子接続確認を再開させる項目を設けて、ユーザが当該項目を選択入力したときに、当該処理を再開させるなどとすればよい。
以上より、図３のステップＳ１０〜Ｓ６０の処理を行うＤＴＶマイコン２５またはＤＶＤマイコン６０が、上記接続判断手段を構成する。
【００４７】
以下、上記構成からなる本実施形態の動作を説明する。
信号処理装置７０がコアキシャル端子ＣＮＴに接続されているときは、ＤＴＶマイコン２５またはＤＶＤマイコン６０は、電圧振幅検出回路とＡ／Ｄ変換器を介して取得される電圧の振幅が０．５Ｖであるため、信号処理装置７０がコアキシャル端子ＣＮＴに接続されていると判断し、ＤＴＶ復調回路１５にデジタル音声信号の出力を継続させる（ステップＳ１０）。従って、コアキシャル端子ＣＮＴからはデジタル音声信号が出力され、信号処理装置７０には同デジタル音声信号が入力される。
【００４８】
一方、信号処理装置７０がコアキシャル端子ＣＮＴに接続されていないときは、ＤＴＶマイコン２５またはＤＶＤマイコン６０は、電圧振幅検出回路とＡ／Ｄ変換器を介して取得される電圧の振幅が１Ｖであるため、信号処理装置７０がコアキシャル端子ＣＮＴに接続されていない判断し（ステップＳ１０）、ＤＴＶ復調回路１５にデジタル音声信号の出力を停止させる（ステップＳ２０）。
【００４９】
そしてユーザがリモコンの所定のキーを操作入力したときに（ステップＳ３０）、信号処理装置７０が接続されていると、電圧振幅検出回路とＡ／Ｄ変換器を介して取得される電圧の振幅が０．５Ｖであるため、信号処理装置７０がコアキシャル端子ＣＮＴに接続されていると判断し（ステップＳ４０）、ＤＴＶ復調回路１５にデジタル音声信号の出力を行わせる（ステップＳ４５）。
【００５０】
一方ユーザがリモコンの所定のキーを操作入力したときに、信号処理装置７０が接続されていないと、電圧振幅検出回路とＡ／Ｄ変換器を介して取得される電圧の振幅が１Ｖであるため、信号処理装置７０がコアキシャル端子ＣＮＴに接続されていない判断する（ステップＳ４０）。そして、ＤＴＶ復調回路１５にデジタル音声信号の出力を停止させるとともに（ステップＳ５０）、信号処理装置７０が接続されているか否かを判断する処理を継続するか否かをユーザに選択させ、ユーザが継続を選択すると再びリモコンの所定の操作入力を待機する状態となる。また、ユーザが継続を選択しないと接続確認を停止する（ステップＳ６０）。
【００５１】
（３）まとめ： 
つまり、ＤＴＶ復調回路１５はデジタル放送の放送電波に基づくデジタル音声信号を第一のエミッタフォロワ回路を介してコアキシャル端子ＣＮＴに対して出力し、ＤＶＤ復調回路３５はＤＶＤより読み取ったデジタルデータに基づくデジタル音声信号を第二のエミッタフォロワ回路を介してコアキシャル端子ＣＮＴに対して出力する。そして、ＤＴＶマイコン２５またはＤＶＤマイコン６０はコアキシャル端子ＣＮＴと整合用抵抗Ｒ９との間における電圧信号の振幅を表す情報を取得し、同情報に基づいてコアキシャル端子ＣＮＴに信号処理装置７０が接続されているか否かを判断する。
【００５２】
以上説明したように、本実施例に対応する請求項２にかかるテレビジョンでは、受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、デジタル音声信号の信号処理装置が接続されるコアキシャル端子と、上記コアキシャル端子の出力インピーダンスを設定する整合用抵抗と、上記デジタル放送の放送電波に基づくデジタル音声信号を第一のエミッタフォロワ回路を介して上記コアキシャル端子に対して出力するＤＴＶ音声信号出力部と、上記ＤＶＤより読み取ったデジタルデータに基づくデジタル音声信号を第二のエミッタフォロワ回路を介して上記コアキシャル端子に対して出力するＤＶＤ音声信号出力部と、上記整合用抵抗からコアキシャル端子までの信号経路における電圧信号の振幅を表す情報を取得する電圧検出手段と、上記電圧信号の振幅に基づき上記コアキシャル端子に上記信号処理装置が接続されているか否かを判断する接続判断手段と、を備え、上記接続判断手段は、コアキシャル端子に上記信号処理装置が接続されていないと判断したときには、上記ＤＴＶ音声信号出力部と上記ＤＶＤ音声信号出力部からのデジタル音声信号の出力を停止させ、コアキシャル端子に上記信号処理装置が接続されていると判断したときには、上記ＤＴＶ音声信号出力部と上記ＤＶＤ音声信号出力部からデジタル音声信号を出力させる構成としてある。
上記のように構成した請求項２にかかる発明において、上記ＤＴＶ音声信号出力部は上記デジタル放送の放送電波に基づくデジタル音声信号を第一のエミッタフォロワ回路を介して上記コアキシャル端子に対して出力し、上記ＤＶＤ音声信号出力部は上記ＤＶＤより読み取ったデジタルデータに基づくデジタル音声信号を第二のエミッタフォロワ回路を介して上記コアキシャル端子に対して出力する。そして、上記ＤＴＶ音声信号出力部から出力されたデジタル音声信号は、上記第一のエミッタフォロワ回路から上記整合用抵抗を経由して上記コアキシャル端子に供給される。一方、上記ＤＶＤ音声信号出力部から出力されたデジタル音声信号は上記第二のエミッタフォロワ回路から上記整合用抵抗を経由して上記コアキシャル端子に供給される。そして、上記電圧検出手段は上記コアキシャル端子と上記整合用抵抗との間における電圧信号の振幅を表す情報を取得し、上記接続判断手段は上記電圧検出手段の検出結果に基づいて上記コアキシャル端子に上記信号処理装置が接続されているか否かを判断する。
【００５３】
すなわち、上記コアキシャル端子と上記整合用抵抗の間における電圧信号の振幅は、上記コアキシャル端子に上記信号処理装置が接続されているときに比べて上記コアキシャル端子に上記信号処理装置が接続されていないときに半分となる。
【００５４】
また、上記ＤＴＶ音声信号出力部としては、地上デジタル放送や衛星放送などのデジタル放送の放送信号よりデジタルにて音声信号を取得してデジタル出力可能であればよい。また、上記ＤＶＤ音声信号出力部としては、ＤＶＤなどの光ディスクに記録されているデジタルデータよりデジタルにて音声信号を取得してデジタル出力可能であればよい。
【００５５】
さらに、上記電圧検出手段としては、上記コアキシャル端子と上記整合用抵抗との間における電圧信号の振幅を表す情報を取得して出力可能であればよく、同電圧信号の最大値と最小値との差分を表す情報を取得できればいかなるものであっても構わない。また、上記接続判断手段としては、上記電圧検出手段より出力される電圧信号の振幅を表す情報が所定の閾値を超えたか否かを判断することが出来ればよく、閾値を超えたか否かで上記ＤＴＶ音声信号出力部または上記ＤＶＤ音声信号出力部からのデジタル音声信号の出力のオン／オフを切り替えることができればよい。
上記のように構成した請求項２に記載の発明においては、外部アンプの接続の有無を判断して、接続されていないときはデジタル音声信号の出力を停止させることにより余計な電流を抑えて電力消費が抑えるとともに不要輻射をなくすことの可能なテレビジョンを提供することが出来る。
【００５６】
そして、請求項３にかかる発明では、上記請求項２に記載のテレビジョンにおいて、上記電圧検出手段は、上記電圧信号の振幅を間欠的に取得する構成としてある。間欠的とは一定の時間間隔で行うことである。上記のように構成した請求項３に記載の発明においては、より電力消費を抑えることの可能なテレビジョンを提供することが出来る。
【００５７】
さらに、請求項４にかかる発明では、上記請求項２または上記請求項３に記載のテレビジョンにおいて、上記接続判断手段は、上記電圧検出手段が取得した電圧信号の振幅を表す情報が、所定時間、所定レベル以下であるとき上記信号処理装置が接続されていないと判断する構成としてある。
上記のように構成した請求項４にかかる発明において、上記所定時間としては、数秒でも数分であってもよく、特に請求項３に記載のテレビジョンにおいては上記所定時間を上記電圧信号の振幅を取得した回数にて判断することも可能である。また、上記所定レベルとは上記閾値のことである。請求項４にかかる発明によれば、より電力消費を抑えることの可能なテレビジョンを提供することが出来る。
【００５８】
また、請求項５にかかる発明では、上記請求項２〜請求項４のいずれかに記載のテレビジョンにおいて、上記接続判断手段は、所定の操作入力を操作入力手段より受け付けると、コアキシャル端子に上記信号処理装置が接続されているか否かを再判断する構成としてある。
上記のように構成した請求項５にかかる発明では、一旦、上記信号処理装置が接続されていないと判断されて上記デジタル音声信号の出力が停止されても、ユーザからの所定の操作入力を受け付けると再び上記信号処理装置が接続されているか否かを判断しなおす。すなわち、ユーザが上記信号処理装置を接続した際に、デジタル音声信号の出力が停止されていても、ユーザが操作入力手段にて操作入力を行えば、上記信号処理装置の接続を再判断させることが可能となる。所定の操作入力としては、ミュートキーでもよいし、コアキシャル端子の接続を確認させる為の専用のキーを設けても構わない。
上記のように構成した請求項５に記載の発明においては、ユーザの利便性が向上する。
【００５９】
そして、請求項６にかかる発明では、上記請求項２〜請求項５のいずれかに記載のテレビジョンにおいて、上記接続判断手段は、上記信号処理装置が接続されていないと判断すると、その旨を上記画面に表示させるとともに、上記電圧検出手段による電圧信号の検出を継続させるか否かを選択可能とする構成としてある。
上記のように構成した請求項６にかかる発明においては、上記接続判断手段にて上記信号処理装置が接続されていないと判断されると画面にその旨を表示してユーザに知らせるとともに、上記電圧検出手段に電圧信号の検出を継続させるか否かをユーザに選択可能とする。これにより、ユーザの利便性が向上する。
【００６０】
そして、請求項７にかかる発明では、上記請求項２〜請求項６のいずれかに記載のテレビジョンのより具体的な構成の一例として、上記第一のエミッタフォロワ回路は、ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成され、上記第二のエミッタフォロワ回路は、ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される、としてある。
【００６１】
そして、請求項８にかかる発明では、上記請求項２〜７のいずれかに記載のテレビジョンにおいて、上記整合用抵抗は、直流成分を除去するための結合コンデンサを介して上記コアキシャル端子に接続されている構成としてある。
【００６２】
上記のように構成した請求項８に記載の発明においては、デジタル音声信号のノイズを減少させることにより、外部アンプの接続判断をより正確に行うことが出来る。
【００６３】
以上の構成を踏まえた上で、請求項１の発明は、受信したデジタル放送の放送電波に基づくテレビ映像を画面に表示するテレビ機能と、挿入されたＤＶＤに記録されているデジタルの映像データを読み取って再生可能なＤＶＤ再生機能とを具備するテレビジョンにおいて、デジタル音声信号の信号処理装置が接続されるコアキシャル端子と、上記コアキシャル端子の出力インピーダンスを設定する整合用抵抗と、上記整合用抵抗と上記コアキシャル端子の間に接続されて、直流成分を除去する結合コンデンサと、上記デジタル放送の放送電波に基づくデジタル音声信号を出力するＤＴＶ音声信号出力部と、上記ＤＶＤより読み取ったデジタルデータに基づくデジタル音声信号を出力するＤＶＤ音声信号出力部と、ベースが抵抗を介して上記ＤＴＶ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第一のトランジスタとから構成される第一のエミッタフォロワ回路と、ベースが抵抗を介して上記ＤＶＤ音声信号出力部の出力端子に接続されるとともに、同ベースに一方の端子がプラス電源に接続された抵抗の他方の端子、および、一方の端子が接地された抵抗の他方の端子が接続され、エミッタが電流経路を形成する抵抗を介して接地されるとともに上記整合用抵抗に接続される第二のトランジスタとから構成される第二のエミッタフォロワ回路と、上記結合コンデンサと上記コアキシャル端子の間に接続される端子を備え、上記ＤＴＶ音声信号出力部を制御するＤＴＶマイコンと、上記結合コンデンサと上記コアキシャル端子の間に接続される端子を備え、上記ＤＶＤ音声信号出力部を制御するＤＶＤマイコンと、上記画面にＯＳＤ表示するためのＯＳＤ信号を生成して上記画面に表示させるＯＳＤ回路と、ユーザからの操作入力を受け付ける操作入力手段と、を備え、上記ＤＴＶマイコンは、上記結合コンデンサからコアキシャル端子までの信号経路における電圧信号の振幅を表す情報を間欠的に取得し、上記電圧信号の振幅を表す情報が、所定時間、所定レベル以下であるとき上記コアキシャル端子に上記信号処理装置が接続されていないと判断して上記ＤＴＶ音声信号出力部からのデジタル音声信号の出力を停止させ、その旨を上記画面に表示させるとともに、上記電圧信号の検出を継続させるか否かを選択可能とし、上記コアキシャル端子に上記信号処理装置が接続されていないと判断したとき以外は、上記ＤＴＶ音声信号出力部からデジタル音声信号を出力させ、上記操作入力手段より所定の操作入力を受け付けると、上記コアキシャル端子に上記信号処理装置が接続されているか否かを再判断し、上記ＤＶＤマイコンは、上記結合コンデンサからコアキシャル端子までの信号経路における電圧信号の振幅を表す情報を間欠的に取得し、上記電圧信号の振幅を表す情報が、所定時間、所定レベル以下であるとき上記コアキシャル端子に上記信号処理装置が接続されていないと判断して上記ＤＶＤ音声信号出力部からのデジタル音声信号の出力を停止させ、その旨を上記画面に表示させるとともに、上記電圧信号の検出を継続させるか否かを選択可能とし、上記コアキシャル端子に上記信号処理装置が接続されていないと判断したとき以外は、上記ＤＶＤ音声信号出力部からデジタル音声信号を出力させ、上記操作入力手段より所定の操作入力を受け付けると、上記コアキシャル端子に上記信号処理装置が接続されているか否かを再判断する構成としてある。
【００６４】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００６５】
【図１】本発明にかかるコアキシャル端子を有するＤＶＤ一体型のテレビジョン装置のブロック図である。
【図２】コアキシャル端子の接続検出回路の回路図である。
【図３】コアキシャル端子の接続検出を行うマイコンの処理を示すフローチャートである。
【符号の説明】
【００６６】
１０…チューナ
１５…ＤＴＶ復調回路
２０…選択回路
２５…ＤＴＶマイコン
３０…ＤＶＤドライブ
３５…ＤＶＤ復調回路
４０…映像信号処理回路
４５…音声信号処理回路
５０…ディスプレイ
５５…スピーカ
６０…ＤＶＤマイコン
７０…信号処理装置
８０…接続検出回路
１００…テレビジョン
Ｒ１〜１０…抵抗
Ｑ１、Ｑ２…トランジスタ
Ｃ１…コンデンサ
ＣＮＴ…コアキシャル端子
【図１】
2007243449.tif 000003
【図２】
2007243449.tif 000004
【図３】
2007243449.tif 000005